(57)【特許請求の範囲】
【請求項１】
袋本体の開口部端縁または開口部近傍に、締め紐が挿通される紐挿通部が形成され、前記紐挿通部に、該紐挿通部の内外に締め紐を挿脱する少なくとも１対の挿脱口が形成された巾着型収納袋に取り付けられるようになっており、
前記１対の挿脱口から出ている１対の前記締め紐が挿通され、前記締め紐の長手方向における保持位置を移動可能に保持する束部材と、
前記束部材に連結され、前記袋本体における前記挿脱口の近傍を保持する保持部材とを有し、
前記保持部材は、前記袋本体における前記開口部の近傍を挟持することにより保持する挟持部材からなることを特徴とする開放補助部材。
【請求項２】
前記束部材は、前記締め紐の保持位置を固定かつ移動可能に保持することを特徴とする請求項１に記載の開放補助部材。
【請求項３】
前記束部材は、
周壁、前記周壁の内部に形成された空洞部、前記空洞部を介して締め紐を挿通するために前記周壁に形成された１対の挿通口を備えた本体部と、
前記空洞部に配置される付勢部材と、
前記周壁に形成された孔を介して前記本体部から突出するように前記空洞部に配置され、前記付勢部材によって前記本体部から突出する方向に付勢され、前記付勢部材の付勢力に反する方向に押圧された状態で前記挿通口に対応する位置に、前記締め紐が挿通される貫通孔が形成された固定解除部材とを有しており、
前記周壁に、前記両挿通口および前記空洞部に通じる第１挿入部を形成し、
前記固定解除部材における前記付勢部材の付勢力に反する方向に押圧された状態で前記第１挿入部に対応する位置に、前記第１挿入部を介して前記固定解除部材の外部から前記締め紐を前記貫通孔に挿入する第２挿入部を形成することを特徴とする請求項１または請求項２に記載の開放補助部材。
【請求項４】
前記束部材は、前記締め紐が挿通される貫通孔を備えた本体部を有し、
前記本体部は、前記貫通孔に沿って開放可能に分割されており、開放された状態で前記貫通孔に締め紐が配置された後、前記分割された本体部が閉鎖した状態を保持する固定部材を有することを特徴とする請求項１または請求項２に記載の開放補助部材。
【請求項５】
袋本体の開口部端縁または開口部近傍に、締め紐が挿通される紐挿通部が形成され、
前記紐挿通部に、該紐挿通部の内外に前記締め紐を挿脱する少なくとも１対の挿脱口が形成された巾着型収納袋において、
前記１対の挿脱口から出ている１対の前記締め紐が挿通され、前記締め紐の長手方向における保持位置を移動可能に保持する束部材と、
前記束部材に連結され、前記袋本体における前記挿脱口の近傍を保持する保持部材とを備えた開放補助部材を有し、
前記保持部材は、前記袋本体における前記開口部の近傍を挟持することにより保持する挟持部材からなることを特徴とする巾着型収納袋。
【請求項６】
前記束部材は、前記締め紐の保持位置を固定かつ移動可能に保持することを特徴とする請求項５に記載の巾着型収納袋。
【請求項７】
前記束部材は、
周壁、前記周壁の内部に形成された空洞部、前記空洞部を介して締め紐を挿通するために前記周壁に形成された１対の挿通口を備えた本体部と、
前記空洞部に配置される付勢部材と、
前記周壁に形成された孔を介して前記本体部から突出するように前記空洞部に配置され、前記付勢部材によって前記本体部から突出する方向に付勢され、前記付勢部材の付勢力に反する方向に押圧された状態で前記挿通口に対応する位置に、前記締め紐が挿通される貫通孔が形成された固定解除部材とを有しており、
前記周壁に、前記両挿通口および前記空洞部に通じる第１挿入部を形成し、
前記固定解除部材における前記付勢部材の付勢力に反する方向に押圧された状態で前記第１挿入部に対応する位置に、前記第１挿入部を介して前記固定解除部材の外部から前記締め紐を前記貫通孔に挿入する第２挿入部を形成することを特徴とする請求項５または請求項６に記載の巾着型収納袋。
【請求項８】
前記束部材は、前記締め紐が挿通される貫通孔を備えた本体部を有し、
前記本体部は、前記貫通孔に沿って開放可能に分割されており、開放された状態で前記貫通孔に締め紐が配置された後、前記分割された本体部が閉鎖した状態を保持する固定部材を有することを特徴とする請求項５または請求項６に記載の巾着型収納袋。
【発明の詳細な説明】
【技術分野】
【０００１】
本発明は、巾着型収納袋における開口部の開閉に好適な開放補助部材、およびこの開放補助部材を備えた巾着型収納袋に関する。
【背景技術】
【０００２】
従来より、袋本体の開口部端縁または開口部近傍に形成された紐挿通部に締め紐を挿通し、この締め紐を締めることにより開口部を閉鎖して使用する巾着型収納袋が多用されている。
【０００３】
前記巾着型収納袋における紐挿通部には、紐挿通部に締め紐を挿脱するための挿脱口が形成されており、巾着型収納袋の種類としては、一般に、紐挿通部の１箇所に形成された１対の挿脱口からのみ締め紐が出る片紐式巾着型収納袋と、紐挿通部の２箇所にそれぞれ１対の挿脱口が形成され、各挿脱口からそれぞれ締め紐が出る両紐式巾着型収納袋とが挙げられる。
【０００４】
このような巾着型収納袋のうち、特に片紐式巾着型収納袋は、締め紐を締めることにより閉鎖した開口部が容易に開放してしまうことがあることから、開口部が容易に開放してしまうことを防止する観点より、例えば、挿脱口から出ている１対の締め紐に、円環部材やコードストッパ等の束部材が取り付けられている（例えば、特許文献１参照）。例えば、前記コードストッパには、締め紐が挿通され、締め紐の長手方向における保持位置を固定かつ移動可能に保持するようになっている。このコードストッパが取り付けられた巾着型収納袋においては、締め紐を締めて開口部を閉鎖したときに、コードストッパを挿脱口に近接する位置に移動させて保持位置を固定することにより、開口部が容易に開放してしまうことを防止するようになっている。
【先行技術文献】
【特許文献】
【０００５】
【特許文献１】登録実用新案第３０６９４１１号公報（段落０００３）
【発明の概要】
【発明が解決しようとする課題】
【０００６】
しかし、前述の束部材を備えた巾着型収納袋によれば、開口部を開放する際、まず束部材を挿脱口から離れた位置に移動させた後、開口部を開放しなければならず、開放動作に手間がかかってしまうという問題を有していた。
【０００７】
本発明はこれらの点に鑑みてなされたものであり、巾着型収納袋の開口部を容易に開放することができるとともに、開口部の閉鎖状態を維持することができる開放補助部材、およびこの開放補助部材を備えた巾着型収納袋を提供することを目的とする。
【０００８】
また、巾着型収納袋の締め紐に容易に取付可能な開放補助部材、およびこの開放補助部材を備えた巾着型収納袋を提供することを目的とする。
【課題を解決するための手段】
【０００９】
前記目的を達成するため、本発明に係る開放補助部材の特徴は、袋本体の開口部端縁または開口部近傍に、締め紐が挿通される紐挿通部が形成され、前記紐挿通部に、該紐挿通部の内外に締め紐を挿脱する少なくとも１対の挿脱口が形成された巾着型収納袋に取り付けられるようになっており、前記１対の挿脱口から出ている１対の前記締め紐が挿通され、前記締め紐の長手方向における保持位置を移動可能に保持する束部材と、前記束部材に連結され、前記袋本体における前記挿脱口の近傍を保持する保持部材とを有し、前記保持部材は、前記袋本体における前記開口部の近傍を挟持することにより保持する挟持部材からなる点にある。
【００１０】
本発明によれば、巾着型収納袋における開口部の閉鎖状態において、開放補助部材の束部材によって開口部の閉鎖状態を維持し、かつ閉鎖状態から開口部を開放するときには、束部材における締め紐の長手方向の保持位置を移動させるという動作のみによって、巾着型収納袋の開口部を開放することができるとともに、開放補助部材を容易に巾着型収納袋に取り付けることが可能となる。
【００１１】
また、本発明に係る開放補助部材において、前記束部材は、前記締め紐の保持位置を固定かつ移動可能に保持するようにするとよい。
【００１２】
これにより、本発明に係る開放補助部材は、開口部の閉鎖状態をより確実に維持することが可能となる。
【００１５】
さらにまた、本発明に係る開放補助部材において、前記束部材は、周壁、前記周壁の内部に形成された空洞部、前記空洞部を介して締め紐を挿通するために前記周壁に形成された１対の挿通口を備えた本体部と、前記空洞部に配置される付勢部材と、前記周壁に形成された孔を介して前記本体部から突出するように前記空洞部に配置され、前記付勢部材によって前記本体部から突出する方向に付勢され、前記付勢部材の付勢力に反する方向に押圧された状態で前記挿通口に対応する位置に、前記締め紐が挿通される貫通孔が形成された固定解除部材とを有しており、前記周壁に、前記両挿通口および前記空洞部に通じる第１挿入部を形成し、前記固定解除部材における前記付勢部材の付勢力に反する方向に押圧された状態で前記第１挿入部に対応する位置に、前記第１挿入部を介して前記固定解除部材の外部から前記締め紐を前記貫通孔に挿入する第２挿入部を形成するとよい。
【００１６】
これにより、本発明に係る開放補助部材は、固定解除部材を押圧した状態で本体部の第１挿入孔の位置と固定解除部材の第２挿入孔の位置とを一致させ、この状態で、１対の締め紐を第１挿入孔および第２挿入孔を介して固定解除部材の貫通孔に挿入することができる。これにより、例えば、締め紐に取り付けられた端部止め部材を締め紐から取り外す等の手間をかけることなく、容易に開放補助部材を巾着型収納袋に取り付けることができることとなる。
【００１７】
また、本発明に係る開放補助部材において、前記束部材は、前記締め紐が挿通される貫通孔を備えた本体部を有し、前記本体部は、前記貫通孔に沿って開放可能に分割されており、開放された状態で前記貫通孔に締め紐が配置された後、前記分割された本体部が閉鎖した状態を保持する固定部材を有してもよい。
【００１８】
これにより、本発明に係る開放補助部材は、締め紐に取り付けられた端部止め部材を締め紐から取り外す等の手間をかけることなく、容易に開放補助部材を巾着型収納袋に取り付けることができることができる。
【００１９】
本発明に係る巾着型収納袋の特徴は、袋本体の開口部端縁または開口部近傍に、締め紐が挿通される紐挿通部が形成され、前記紐挿通部に、該紐挿通部の内外に前記締め紐を挿脱する少なくとも１対の挿脱口が形成された巾着型収納袋において、前記１対の挿脱口から出ている１対の前記締め紐が挿通され、前記締め紐の長手方向における保持位置を移動可能に保持する束部材と、前記束部材に連結され、前記袋本体における前記挿脱口の近傍を保持する保持部材とを備えた開放補助部材とを有し、前記保持部材は、前記袋本体における前記開口部の近傍を挟持することにより保持する挟持部材からなる点にある。
【００２０】
本発明によれば、巾着型収納袋における開口部の閉鎖状態において、開放補助部材の束部材によって開口部の閉鎖状態を維持し、かつ閉鎖状態から開口部を開放するときには、束部材における締め紐の長手方向の保持位置を移動させるという動作のみによって、巾着型収納袋の開口部を開放することができるとともに、開放補助部材を容易に巾着型収納袋に取り付けることが可能となる。
【００２１】
また、本発明に係る巾着型収納袋において、前記束部材は、前記締め紐の保持位置を固定かつ移動可能に保持するとよい。
【００２２】
これにより、本発明に係る巾着型収納袋は、開口部の閉鎖状態をより確実に維持することが可能となる。
【００２５】
さらにまた、本発明に係る巾着型収納袋において、前記束部材は、周壁、前記周壁の内部に形成された空洞部、前記空洞部を介して締め紐を挿通するために前記周壁に形成された１対の挿通口を備えた本体部と、前記空洞部に配置される付勢部材と、前記周壁に形成された孔を介して前記本体部から突出するように前記空洞部に配置され、前記付勢部材によって前記本体部から突出する方向に付勢され、前記付勢部材の付勢力に反する方向に押圧された状態で前記挿通口に対応する位置に、前記締め紐が挿通される貫通孔が形成された固定解除部材とを有しており、前記周壁に、前記両挿通口および前記空洞部に通じる第１挿入部を形成し、前記固定解除部材における前記付勢部材の付勢力に反する方向に押圧された状態で前記第１挿入部に対応する位置に、前記第１挿入部を介して前記固定解除部材の外部から前記締め紐を前記貫通孔に挿入する第２挿入部を形成するとよい。
【００２６】
これにより、本発明に係る巾着型収納袋は、固定解除部材を押圧した状態で本体部の第１挿入孔の位置と固定解除部材の第２挿入孔の位置とを一致させ、この状態で、１対の締め紐を第１挿入孔および第２挿入孔を介して固定解除部材の貫通孔に挿入することができる。これにより、例えば、締め紐に取り付けられた端部止め部材を締め紐から取り外す等の手間をかけることなく、容易に開放補助部材を巾着型収納袋に取り付けることができることとなる。
【００２７】
また、本発明に係る巾着型収納袋において、前記束部材は、前記締め紐が挿通される貫通孔を備えた本体部を有し、前記本体部は、前記貫通孔に沿って開放可能に分割されており、開放された状態で前記貫通孔に締め紐が配置された後、前記分割された本体部が閉鎖した状態を保持する固定部材を有するとよい。
【００２８】
これにより、本発明に係る巾着型収納袋は、締め紐に取り付けられた端部止め部材を締め紐から取り外す等の手間をかけることなく、容易に開放補助部材を巾着型収納袋に取り付けることができることができる。
【発明の効果】
【００２９】
以上述べたように、本発明に係る開放補助部材およびこの開放補助部材を備えた巾着型収納袋は、巾着型収納袋の開口部を容易に開放することができるとともに、開口部の閉鎖状態を維持することができる。
【００３０】
また、本発明に係る開放補助部材およびこの開放補助部材を備えた巾着型収納袋によれば、容易に巾着型収納袋に取り付けることができることができる。
【図面の簡単な説明】
【００３１】
【図１】本発明に係る開放補助部材を備えた巾着型収納袋の一実施形態を示す正面図
【図２】（ａ）は図１に示す開放補助部材における付勢部材に付勢された状態の束部材の拡大側面図、（ｂ）は（ａ）の拡大側面断面図
【図３】図１に示す開放補助部材における付勢部材の付勢力に反する方向に外力を加えられた状態の束部材の拡大側面断面図
【図４】（ａ）（ｂ）は本発明に係る開放補助部材における束部材の他の構成を示す側面断面図
【図５】図１に示す巾着型収納袋における開口部の開放状態を示す正面図
【図６】本発明に係る開放補助部材を備えた巾着型収納袋の他の実施形態を示す正面図
【図７】（ａ）は、図６に示す開放補助部材における束部材の開放状態を示す拡大側面断面図、（ｂ）は（ａ）の閉鎖状態を示す拡大側面断面図
【図８】図６に示す巾着型収納袋における開口部の開放状態を示す正面図
【発明を実施するための形態】
【００３２】
以下、本発明に係る開放補助部材を備えた巾着型収納袋の実施形態を図１乃至図７を参照して説明する。
【００３３】
まず、本発明に係る開放補助部材を備えた巾着型収納袋の第１の実施形態を図１乃至図４を参照して説明する。
【００３４】
図１は、本実施形態に係る開放補助部材を備えた巾着型収納袋を示す正面図である。
【００３５】
図１に示すように、本実施形態に係る開放補助部材１を備えた巾着型収納袋２は、上端縁に１つの開口部５を有する袋本体６を有しており、袋本体６における開口部５の端縁には、締め紐３が挿通される紐挿通部７が開口部５の端縁に対して平行にトンネル状に形成されている。紐挿通部７には、該紐挿通部７の内外に締め紐３を挿脱するための少なくとも１対の挿脱口８が隣位して形成されており、本実施形態においては、挿脱口８は、紐挿通部７の１箇所に１対の挿脱口８が隣位して形成されている。挿脱口８から紐挿通部７に挿通された締め紐３は、両端部が連結されて輪状とされており、両端部の連結部分には、端部止め部材９が取り付けられている。
【００３６】
袋本体６における開口部５の端縁であって、開口部５を介して両挿脱口８に対向する対向位置には、取っ手１０が設けられていることが好ましい。
【００３７】
巾着型収納袋２に取り付けられる開放補助部材１は、１対の挿脱口８から出ている１対の締め紐３が挿通され締め紐３の長手方向における保持位置を固定かつ移動可能に保持する束部材１３と、束部材１３に連結され袋本体６における挿脱口８の近傍を保持する保持部材１５とを有している。本実施形態においては、保持部材１５として、袋本体６における挿脱口８の近傍を挟持することにより保持する挟持部材１５を用いて説明する。
【００３８】
図２（ａ）（ｂ）および図３に示すように、束部材１３は、周壁１６ａと、周壁１６ａの内部に形成された空洞部１６ｂと、空洞部１６ｂを介して締め紐３を挿通するために周壁１６ａに形成された１対の挿通口１６ｃとを備えた本体部１６を有している。周壁１６ａには、両挿通口１６ｃおよび空洞部１６ｂに通じ、締め紐３を本体部１６の外部から空洞部１６ｂに挿入可能な第１挿入部１６ｄが形成されている。
【００３９】
本体部１６の空洞部１６ｂには、付勢部材１７としてのばね部材１７が配置されているとともに、周壁１６ａに形成された孔１６ｅを介して本体部１６から突出するように固定解除部材１８が配置されている。
【００４０】
固定解除部材１８は、ばね部材１７の付勢力によって本体部１６から突出する方向に付勢されており、固定解除部材１８におけるばね部材１７の付勢力に反する方向に押圧された状態で挿通口１６ｃに対応する位置には、締め紐３が挿通される貫通孔１８ａが形成されている。また、固定解除部材１８には、付勢部材１７の付勢力に反する方向に完全に押圧された状態で第１挿入部１６ｄに対応する位置に、第１挿入部１６ｄを介して固定解除部材１８の外部から締め紐３を貫通孔１８ａに挿入する第２挿入部１８ｂが形成されている。さらに、図２（ａ）に示すように、固定解除部材１８の外周面には、ばね部材１７の付勢力によって本体部１６から突出する方向に付勢されている状態で本体部１６における挿通口１６ｃの開口端縁に引っ掛かかり、固定解除部材１８が本体の空洞部１６ｂから抜け落ちてしまうことを防止する突起１８ｃが形成されている。
【００４１】
そして、束部材１３は、図２（ａ）（ｂ）に示すように、固定解除部材１８が押圧されておらず、ばね部材１７の付勢力によって本体部１６から突出する方向に付勢された状態では、締め紐３を固定解除部材１８における貫通孔１８ａ内部の下端面と本体部１６における両挿通口１６ｃ内部の上端面とによって挟持することにより、束部材１３における締め紐３の保持位置は固定可能とされている。また、束部材１３は、図３に示すように、固定解除部材１８がばね部材１７の付勢力に反して押圧された状態では、締め紐３に対する貫通孔１８ａ内部の下端面と両挿通口１６ｃの内部の上端面との挟持が解除されることにより、束部材１３における締め紐３の保持位置を締め紐３の長手方向に移動可能とされている。
【００４２】
また、束部材１３は、固定解除部材１８が完全に押圧された状態のときに本体部１６の第１挿入孔１６ｅの位置と固定解除部材１８の第２挿入孔１８ｂの位置とが一致するので、この状態で、１対の締め紐３を第１挿入孔１６ｅおよび第２挿入孔１８ｂを介して固定解除部材１８の貫通孔１８ａに挿入することができるようになっている。これにより、締め紐３に取り付けられた端部止め部材９を締め紐３から取り外す等の手間をかけることなく、容易に開放補助部材１を巾着型収納袋２に取り付けることができることとなる。
【００４３】
さらに、固定解除部材１８がばね部材１７によって付勢された状態では、固定解除部材１８の第２挿入孔１８ｂは、本体部１６の空洞部１６ｂの内部に配置されて第１挿入孔１６ｄから露出されないので、締め紐３が貫通孔１８ａから抜け出してしまうことを防止することができる。
【００４４】
また、本発明に係る開放補助部材１の束部材として、図４（ａ）（ｂ）に示す構成の束部材２６を用いてもよい。この束部材２６について、前記束部材１３と同一の構成については同一の符号を用いて説明し、詳説を省略する。
【００４５】
束部材２６の本体部１６は、周壁１６ａが蝶番１６ｆを介して開放可能に２分割して形成されており、周壁１６ａには、分割された本体部１６の閉鎖した状態を保持する固定部材１９が設けられている。固定部材１９は、分割された本体部１６のうち一方の本体部１６Ａにおける他方の本体部１６Ｂに対向する分割面に突出形成された係止爪１９ａと、他方の本体部１６Ｂにおける一方の本体部１６Ａに対向する分割面であって係止爪１９ａに対向する位置に形成され係止爪１９ａが係止される係止凹部１９ｂとを有している。
【００４６】
さらに、固定解除部材１８の底面には、締め紐３を固定解除部１８の貫通孔１８ａに挿入するための挿入部１８ｄが底面を貫通して形成されている。
【００４７】
そして、束部材２６は、図４（ａ）に示すように、分割された本体部１６を開放した状態で、固定解除部材１８の挿入部１８ｄから締め紐３を挿入して貫通孔１８ａに配置した後、係止爪１９ａを係止凹部１９ｂに係止させて両本体部１６Ａ、１６Ｂの閉鎖状態を保持することができるようになっている。これにより、締め紐３に取り付けられた端部止め部材９を締め紐３から取り外す等の手間を掛けることなく、容易に開放補助部材１を巾着型収納袋２に取り付けることができる。
【００４８】
なお、本実施形態における束部材１３は、締め紐３の保持位置を固定かつ移動可能に保持するようになっているが、本発明はこれに限定されるものではなく、締め紐３の保持位置を移動可能に保持するものであればよい。また、本実施形態においては、保持部材１５として、挟持部材１５を用いているが、本発明はこれに限定されるものではなく、袋本体６における挿脱口８の近傍を保持するものであればよい。保持部材１５の他の一例としては、袋本体６における挿脱口８の近傍に例えば縫い付けられたり糊付けされて固定されることにより挿脱口８の近傍を保持する固定部材２３や、袋本体６における挿脱口８の近傍に止め針を刺して挿脱口８の近傍を保持する安全ピン等が挙げられる。さらに、本実施形態においては、束部材１３が有している付勢部材１７として、ばね部材１７を用いているが、本発明はこれに限定されるものではなく、弾性部材等、固定解除部材１８に対して付勢力を付与することが可能な種々の部材を用いることが可能である。
【００４９】
続いて、本実施形態の作用について説明する。
【００５０】
図１に示すような巾着型収納袋２における開口部５の閉鎖状態において、開放補助部材１の束部材１３によって両挿通口１６ｃの近傍において締め紐３の保持位置を固定して保持することにより、開口部５の閉鎖状態を維持するようになっている。
【００５１】
また、この開口部５の閉鎖状態から開口部５を開放する際、開放補助部材１における束部材２２の固定解除部材１８をばね部材１７の付勢力に反する方向に押圧する。この押圧状態で、取っ手１０または袋本体６における開口部５の端縁であって開口部５を介して両挿脱口８に対向する対向位置を保持しながら、束部材２２を前記対向位置から離間する方向に移動させることにより、束部材１３２２における締め紐３の長手方向の保持位置を移動させる。このとき、図５に示すように、束部材１３に連結された挟持部材１５が袋本体６における開口部５の近傍を挟持しているので、束部材１３の移動にともなって、袋本体６における開口部５の近傍が挟持部材１５とともに移動して開口部５が開放される。
【００５２】
このように、本実施形態によれば、巾着型収納袋２における開口部５の閉鎖状態において、開放補助部材１の束部材１３によって開口部５の閉鎖状態を維持し、かつ閉鎖状態から開口部５を開放するときには、束部材１３における締め紐３の長手方向の保持位置を移動させるという動作のみによって、巾着型収納袋２の開口部５を開放することができる。
【００５３】
したがって、本実施形態の開放補助部材１を備えた巾着型収納袋２は、巾着型収納袋２の開口部５を容易に開放することができるとともに、開口部５の閉鎖状態を維持することができる。
【００５４】
また、開放補助部材１の束部材１３として、締め紐３の長手方向における保持位置を固定かつ移動可能に保持可能な束部材１３を用いることにより、開口部５の閉鎖状態をより確実に維持することが可能となる。
【００５５】
さらに、開放補助部材１の保持部材１５として、挟持部材１５を用いることにより、開放補助部材１を容易に巾着型収納袋２に取り付けることが可能となる。
【００５６】
さらにまた、開放補助部材１の束部材１３において、本体部１６に第１挿入孔１６ｅを形成し、固定解除部材１８に第２挿入孔１８ｂを形成することにより、固定解除部材１８を完全に押圧した状態で本体部１６の第１挿入孔１６ｅの位置と固定解除部材１８の第２挿入孔１８ｂの位置とを一致させ、この状態で、１対の締め紐３を第１挿入孔１６ｅおよび第２挿入孔１８ｂを介して固定解除部材１８の貫通孔２５ａに挿入することができる。これにより、例えば、締め紐３に取り付けられた端部止め部材９を締め紐３から取り外す等の手間をかけることなく、容易に開放補助部材１を巾着型収納袋２に取り付けることができることとなる。
【００５７】
次に、本発明に係る開放補助部材１を備えた巾着型収納袋２の第２の実施形態について図６乃至図８を用いて説明する。
【００５８】
ここで、第１の実施形態と同様の構成については同一の符号を用いて説明し、詳説を省略する。
【００５９】
図６は、第２の実施形態に係る開放補助部材１を備えた巾着型収納袋２を示す正面図である。
【００６０】
図６に示すように、第２の実施形態に係る開放補助部材１を備えた巾着型収納袋２は、袋本体６における開口部５の近傍に、締め紐３が挿通される紐挿通部７が開口部５の端縁に対して平行にトンネル状に形成されている。紐挿通部７には、該紐挿通部７の内外に締め紐３を挿脱するための１対の挿脱口８が、開口部５における対向する２箇所にそれぞれ形成されている。２箇所に形成された各挿脱口８のうち一方の箇所に形成された１対の挿脱口８から紐挿通部７に挿通された締め紐３は、両端部が連結されて輪状とされ、また他方の箇所に形成された１対の挿脱口８から紐挿通部７に挿通された締め紐３も、両端部が連結されて輪状とされている。両端部の連結部には、それぞれ端部止め部材９が取り付けられている。
【００６１】
巾着型収納袋２に取り付けられる開放補助部材１は、１対の挿脱口８から出ている１対の締め紐３が挿通され、締め紐３の長手方向における保持位置を移動可能に保持する束部材２２と、束部材２２に連結され、袋本体６における挿脱口８の近傍を保持する保持部材２３とを有している。本実施形態においては、保持部材２３として、袋本体６における挿脱口８の近傍に縫い付けや糊付け等によって固定することにより挿脱口８の近傍を保持する例えば布や樹脂等からなる固定部材２３が用いられている。
【００６２】
束部材２２は、１対の締め紐３が挿通される貫通孔２５ａを備えた本体部１６２５を有し、貫通孔２５ａは、束部材２２に対して該束部材２２の移動方向に外力を付与すると束部材２２が締め紐３の長手方向に移動可能な程度の大きさに形成されている。また、図７（ａ）に示すように、本体部２５は、貫通孔２５ａに沿って開放可能に２分割して形成されており、分割された本体部２５は一部が蝶番２５ｂによって連結されている。さらに、本体部２５は、開放された状態で貫通孔２５ａに締め紐３が配置された後、分割された本体部２５の閉鎖した状態を保持する固定部材２３を有する。本実施形態において、固定部材２３は、分割された本体部２５のうち一方の本体部２５Ａにおける他方の本体部２５Ｂに対向する分割面に突出形成された第１係止爪２５ｃと、他方の本体部２５Ｂにおける一方の本体部２５Ａに対向する分割面に突出形成された第２係止爪２５ｄとを有している。また、他方の本体部２５Ｂにおける第１係止爪２５ｃに対向する位置には、第１係止爪２５ｃが嵌合する第１係止凹部２５ｅが形成され、一方の本体部２５Ａの分割面における第２係止爪２５ｄに対向する位置には、第２係止爪２５ｄが嵌合する第２係止凹部２５ｆが形成されている。
【００６３】
そして、束部材２２は、分割された本体部２５を開放した状態で貫通孔２５ａに締め紐３を配置した後、図７（ｂ）に示すように第１係止爪２５ｃを第１係止凹部２５ｅに嵌合させるとともに、第２係止爪２５ｄを第２係止凹部２５ｆに嵌合させることにより第１係止爪ｃと第２係止爪２５ｄとを係止させて両本体部２５Ａ、２５Ｂの閉鎖状態を保持することができるようになっている。これにより、締め紐３に取り付けられた端部止め部材９を締め紐３から取り外す等の手間をかけることなく、容易に開放補助部材１を巾着型収納袋２に取り付けることができることとなる。
【００６４】
なお、本発明はこれに限定されるものではなく、例えば、第２の実施形態のように、分割された本体部２５の一部が連結されていなくてもよく、両本体部２５Ａ、２５Ｂが完全に離間するように本体部が分割されていてもよい。また、例えば、固定部材２３として、本体部１６、２５の両分割面を固着させる糊等の固着部材等、分割された本体部２５の閉鎖した状態を保持する種々の固定部材を用いることが可能である。
【００６５】
続いて、第２の実施形態の作用について説明する。
【００６６】
図６に示すような巾着型収納袋２における開口部５の閉鎖状態において、開放補助部材１の束部材２２を挿通口１６ｃの近傍に配置し、束部材２２によって締め紐３における当該位置を保持することにより、開口部５の閉鎖状態を維持するようになっている。
【００６７】
また、この開口部５の閉鎖状態から開口部５を開放する際、開放補助部材１における束部材２２に両束部材２２が相互に離間する方向に外力を付与して締め紐３の長手方向の保持位置を移動させる。このとき、図８に示すように、束部材２２に連結された固定部材２３が袋本体６における開口部５の近傍に固定されているので、束部材２２の移動にともなって、袋本体６における開口部５の近傍が固定部材２３とともに移動して開口部５が開放される。
【００６８】
このように、本実施形態によれば、巾着型収納袋２における開口部５の閉鎖状態において、開放補助部材１の束部材２２によって開口部５の閉鎖状態を維持し、かつ閉鎖状態から海溝部を開放するときには、束部材２２における締め紐３の長手方向の肘位置を移動させるという動作のみによって、巾着型収納袋２の開口部５を開放することができる。
【００６９】
したがって、本実施形態の開放補助部材１を備えた巾着型収納袋２は、巾着型収納袋２の開口部５を容易に開放することができるとともに、開口部５の閉鎖状態を維持することができる。
【００７０】
また、開放補助部材１は、束部材２２における分割された本体部２５Ａ、２５Ｂが開放された状態で貫通孔２５ａに締め紐３が配置された後、係止爪２５ｃと係止凹部２５ｄとが係止されることにより、両本体部２５Ａ、２５Ｂの閉鎖状態を保持することができるようになっている。これにより、締め紐３に取り付けられた端部止め部材９を締め紐３から取り外す等の手間をかけることなく、容易に開放補助部材１を巾着型収納袋２に取り付けることができることができる。
【００７１】
なお、本発明は前記各実施形態に限定されるものではなく、必要に応じて種々変更することが可能である。
【００７２】
例えば、第１の実施形態における開放補助部材１の束部材１３に、第２の実施形態における開放補助部材１の固定部材２３を連結したり、第２の実施形態における開放補助部材１の束部材２２に、第１の実施形態における開放補助部材１の挟持部材１５を連結してもよい。
【符号の説明】
【００７３】
１  開放補助部材
２  巾着型収納袋
３  締め紐
５  開口部
６  袋本体
７  紐挿通部
８  挿脱口
９  端部止め部材
１０  取っ手
１３  束部材
１５  保持部材（挟持部材）
１６  本体部
１６ａ  周壁
１６ｂ  空洞部
１６ｃ  挿通口
１６ｄ  第１挿入部
１６ｅ  孔
１７  付勢部材（ばね部材）
１８  固定解除部材
１８ａ  貫通孔
１８ｂ  第２挿入部
１８ｃ  突起
【図１】
0005577139.tif 000002
【図２】
0005577139.tif 000003
【図３】
0005577139.tif 000004
【図４】
0005577139.tif 000005
【図５】
0005577139.tif 000006
【図６】
0005577139.tif 000007
【図７】
0005577139.tif 000008
【図８】
0005577139.tif 000009